(57)【要約】【課題】同じテキスト内に含まれる所望の用語を関連付けて同時に学習することを可能とする。【解決手段】電子辞書１は、表示部４０と、テキストを含むコンテンツが少なくとも１つ記憶されている記憶部８０と、記憶部８０により記憶された何れかのコンテンツのテキストを、ユーザ操作に基づいて表示部４０に表示させるＣＰＵ２０と、表示されたテキスト内の文字列をユーザ操作に基づいて指定する入力部３０と、指定された各文字列を登録文字列として記憶するスクラップ帳テーブル８４とを備える。ＣＰＵ２０は、スクラップ帳テーブル８４から登録文字列を読み取り、表示されたテキスト内で当該登録文字列と同一の文字列を検出してそれぞれ識別表示させる。【選択図】図７
2014178914.tif 000002
【特許請求の範囲】
【請求項１】
表示手段と、
テキストを含むコンテンツが少なくとも１つ記憶されているコンテンツ記憶手段と、
前記コンテンツ記憶手段により記憶された何れかの前記コンテンツのテキストを、ユーザ操作に基づいて前記表示手段に表示させるテキスト表示制御手段と、
前記テキスト表示制御手段により表示されたテキスト内の文字列をユーザ操作に基づいて指定する文字列指定手段と、
前記文字列指定手段により指定された各文字列を登録文字列として記憶する文字列記憶手段と、
前記文字列記憶手段から前記登録文字列を読み取り、前記テキスト表示制御手段により表示されたテキスト内で当該登録文字列と同一の文字列を検出してそれぞれ識別表示させる登録文字列識別表示制御手段と、
を備えることを特徴とする情報表示装置。
【請求項２】
請求項１記載の情報表示装置において、
各登録文字列について、当該登録文字列をユーザから視認されないよう潜像化して表示させるか否かを、ユーザ操作に基づいて設定する隠し表示設定手段を備え、
前記登録文字列識別表示制御手段は、
各登録文字列のうち、前記隠し表示設定手段により、潜像化して表示させるよう設定されている登録文字列と同一の文字列を、テキスト内で潜像化して識別表示させることを特徴とする情報表示装置。
【請求項３】
請求項１または２記載の情報表示装置において、
前記文字列記憶手段は、
ユーザ操作により入力される任意のコメントを記憶可能であり、
当該情報表示装置は、
前記テキスト表示制御手段により表示されたテキスト内で前記文字列指定手段により前記登録文字列と同一の文字列が指定された場合に、前記文字列記憶手段の記憶内容のうち、当該指定された文字列以外の記憶内容を読み取り、当該指定された文字列に関連付けて表示させる登録文字列表示制御手段を備えることを特徴とする情報表示装置。
【請求項４】
請求項１〜３の何れか一項に記載の情報表示装置において、
複数の前記文字列記憶手段と、
前記複数の文字列記憶手段のうち、ユーザ操作に基づき選択される何れか１つの文字列記憶手段を情報の読み取り及び／または書き込みの対象として設定する文字列記憶手段選択手段とを備え、
前記文字列記憶手段選択手段は、
前記テキスト表示制御手段により表示されたテキスト内で前記文字列指定手段により前記登録文字列と同一の文字列が指定された場合に、前記複数の文字列記憶手段のうち、当該指定された文字列が読み取られた前記文字列記憶手段を情報の読み取り及び／または書き込みの対象として設定することを特徴とする情報表示装置。
【請求項５】
表示手段と、
テキストを含むコンテンツが少なくとも１つ記憶されているコンテンツ記憶手段と、
を有するコンピュータにおける情報表示方法であって、
前記コンテンツ記憶手段により記憶された何れかの前記コンテンツのテキストを、ユーザ操作に基づいて前記表示手段に表示させるテキスト表示制御ステップと、
前記テキスト表示制御ステップにより表示されたテキスト内の文字列をユーザ操作に基づいて指定する文字列指定ステップと、
前記文字列指定ステップにより指定された各文字列を登録文字列として記憶する文字列記憶ステップと、
前記文字列記憶ステップによる記憶内容から前記登録文字列を読み取り、前記テキスト表示制御ステップにより表示されたテキスト内で当該登録文字列と同一の文字列を検出してそれぞれ識別表示させる登録文字列識別表示制御ステップと、
を含むことを特徴とする情報表示方法。
【請求項６】
表示手段と、
テキストを含むコンテンツを取得するコンテンツ取得手段と、
を有するコンピュータに、
前記コンテンツ取得手段により取得された何れかのコンテンツのテキストを、ユーザ操作に基づいて前記表示手段に表示させるテキスト表示制御機能と、
前記テキスト表示制御機能により表示されたテキスト内の文字列をユーザ操作に基づいて指定する文字列指定機能と、
前記文字列指定機能により指定された各文字列を登録文字列として記憶する文字列記憶機能と、
前記文字列記憶機能による記憶内容から前記登録文字列を読み取り、前記テキスト表示制御機能により表示されたテキスト内で当該登録文字列と同一の文字列を検出してそれぞれ識別表示させる登録文字列識別表示制御機能と、
を実現させることを特徴とする情報表示プログラム。
【発明の詳細な説明】
【技術分野】
【０００１】
本発明は、情報表示装置、情報表示方法及び情報表示プログラムに関する。
【背景技術】
【０００２】
従来、電子辞書などの情報表示装置においては、テキスト内で指定される用語（文字列）に対し、辞書データベース内の任意の見出し語をリンク先として設定することができるようになっている。そして、この情報表示装置では、リンク先の設定された用語（文字列）に対して所定のユーザ操作が行われると、当該リンク先の見出し語の説明情報が表示されるようになっている（例えば特許文献１参照）。
【先行技術文献】
【特許文献】
【０００３】
【特許文献１】特開２０１２−１３３０６０号公報
【発明の概要】
【発明が解決しようとする課題】
【０００４】
しかしながら、特許文献１記載の技術では、リンク先に表示を切り替えることにより、切り替え前後の表示内容を関連付けて順に学習することはできるものの、同じテキスト内に含まれる所望の用語を関連付けて同時に学習することはできない。
【０００５】
本発明の課題は、同じテキスト内に含まれる所望の用語を関連付けて同時に学習することのできる情報表示装置、情報表示方法及び情報表示プログラムを提供することである。
【課題を解決するための手段】
【０００６】
請求項１記載の発明は、情報表示装置において、
表示手段と、
テキストを含むコンテンツが少なくとも１つ記憶されているコンテンツ記憶手段と、
前記コンテンツ記憶手段により記憶された何れかの前記コンテンツのテキストを、ユーザ操作に基づいて前記表示手段に表示させるテキスト表示制御手段と、
前記テキスト表示制御手段により表示されたテキスト内の文字列をユーザ操作に基づいて指定する文字列指定手段と、
前記文字列指定手段により指定された各文字列を登録文字列として記憶する文字列記憶手段と、
前記文字列記憶手段から前記登録文字列を読み取り、前記テキスト表示制御手段により表示されたテキスト内で当該登録文字列と同一の文字列を検出してそれぞれ識別表示させる登録文字列識別表示制御手段と、
を備えることを特徴とする。
【発明の効果】
【０００７】
本発明によれば、同じテキスト内に含まれる所望の用語を関連付けて同時に学習することができる。
【図面の簡単な説明】
【０００８】
【図１】（ａ）は電子辞書の概略構成を示す平面図であり、（ｂ）はタブレットパソコンの概略構成を示す平面図である。
【図２】電子辞書の機能構成を示すブロック図である。
【図３】スクラップ帳登録処理の流れを示すフローチャートである。
【図４】スクラップ帳マーカ処理の流れを示すフローチャートである。
【図５】ディスプレイの表示内容を示す図である。
【図６】ディスプレイの表示内容を示す図である。
【図７】ディスプレイの表示内容を示す図である。
【図８】ディスプレイの表示内容を示す図である。
【図９】ディスプレイの表示内容を示す図である。
【発明を実施するための形態】
【０００９】
以下、添付図面を参照して、本発明に係る情報表示装置を電子辞書に適用した場合の実施形態の一例を詳細に説明する。ただし、発明の範囲は、図示例に限定されない。
【００１０】
［１．１  外観構成］
図１は、電子辞書１の平面図である。
この図に示すように、電子辞書１は、メインディスプレイ１０、サブディスプレイ１１、カードスロット１２、及びキー群２を備えている。
【００１１】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１２】
カードスロット１２は、種々の情報を記憶した外部情報記憶媒体１２ａ（図２参照）を着脱可能に設けられている。
【００１３】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、戻るキー２ｇ等とを有している。
【００１４】
訳／決定キー２ｂは、各種処理の実行、見出し語の決定等に使用されるキーである。文字キー２ｃは、ユーザによる文字の入力等に使用されるキーであり、本実施の形態においては、“Ａ”〜“Ｚ”キーを備えている。辞書選択キー２ｄは、後述の辞書データベース８２０Ａ，…（図２参照）の選択に使用されるキーである。
【００１５】
カーソルキー２ｅは、画面内の反転表示位置、つまりカーソル位置の移動等に使用されるキーであり、本実施の形態においては上下左右の方向を指定可能となっている。戻るキー２ｇは、前回表示した画面に戻るとき等に使用されるキーである。
【００１６】
［１．２  内部構成］
続いて、電子辞書１の内部構成について説明する。図２は、電子辞書１の内部構成を示すブロック図である。
【００１７】
この図に示すように、電子辞書１は、表示部４０、入力部３０、通信部５０、記録媒体読取部６０、ＣＰＵ（Central Processing Unit）２０、記憶部８０を備え、各部はバスで相互にデータ通信可能に接続されて構成されている。
【００１８】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００１９】
入力部３０は、上述のキー群２やタッチパネル１１０を備えており、押下されたキーやタッチパネル１１０の位置に対応する信号をＣＰＵ２０に出力するようになっている。
【００２０】
通信部５０は、ネットワークＮに接続可能となっており、これにより、ネットワークＮに接続される外部機器、例えば辞書サーバＪとの通信が可能となっている。この辞書サーバＪには、辞書データベース８２０Ａ等が格納されるようになっている。なお、この辞書データベース８２０Ａは後述の記憶部８０における辞書データベース８２０Ａと同様のデータ構造を有しているため、ここでは説明を省略する。
【００２１】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。
【００２２】
ここで、外部情報記憶媒体１２ａには、辞書データベース８２０Ａ等が格納されるようになっている。なお、この辞書データベース８２０Ａは後述の記憶部８０における辞書データベース８２０Ａと同様のデータ構造を有しているため、ここでは説明を省略する。
【００２３】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じて記憶部８０に格納された各種プログラムを読み出し、当該プログラムに従って処理を実行する。そして、ＣＰＵ２０は、処理結果を記憶部８０に一時保存するとともに、当該処理結果を表示部４０に適宜出力させる。
【００２４】
記憶部８０は、電子辞書１の各種機能を実現するためのプログラムやデータを記憶するとともに、ＣＰＵ２０の作業領域として機能するメモリである。本実施の形態においては、記憶部８０は、本発明に係る情報表示処理プログラム８１と、コンテンツ群８２と、スクラップ帳テーブル８４等とを記憶している。
【００２５】
情報表示処理プログラム８１は、後述のスクラップ帳登録処理（図３参照）及びスクラップ帳マーカ処理（図４参照）をＣＰＵ２０に実行させるためのプログラムである。
【００２６】
コンテンツ群８２は、複数のコンテンツ８２０を有しており、本実施の形態においては、複数の辞書データベース８２０Ａ及び書籍コンテンツ８２０Ｂを有している。
【００２７】
辞書データベース８２０Ａ，…には、見出し語と、この見出し語の説明情報のテキストとが対応付けられて複数格納されている。なお、本実施の形態においては、このような辞書データベース８２０Ａとして、「日本史事典」，「百科事典」，「国語事典」などの辞書データベース８２０Ａが用いられている。
【００２８】
書籍コンテンツ８２０Ｂには、書籍等のテキストが格納されている。なお、本実施の形態においては、このような書籍コンテンツ８２０Ｂとして、「中学教科書：日本史」などの書籍コンテンツ８２０Ｂが用いられている。
【００２９】
スクラップ帳テーブル８４は、複数のブック（シート）８４０を有している。
各ブック８４０は、ユーザ操作により登録対象として設定された文字列（以下、登録文字列とする）と、登録文字列をマーカ表示するためのマーカ色と、登録文字列をユーザから視認されないように隠し表示するか否か（潜像化して表示するか、顕像化して表示するか）の設定内容とを対応付けて記憶（登録）するようになっている。また、登録文字列がテキスト内で指定された場合には、ブック８４０には、当該登録文字列に対応付けて、当該登録文字列の位置情報（本実施の形態においては表示されていたテキストのコンテンツ名）が記憶されるようになっている。更に、本実施の形態において各ブック８４０は、ユーザから入力される任意のコメントを、登録文字列の代わりに、或いは、登録文字列と合わせて記憶できるようになっている。
【００３０】
また、各ブック８４０には、当該ブック８４０の表示形態として、「マス目」、「縦書き」及び「横書き」の何れかが対応付けて記憶されている。
ここで、表示形態「マス目」のブック８４０が表示される場合には、メインディスプレイ１０に３×３のマトリックス状にマス１００（図５（ｄ）参照）が形成され、ブック８４０に記憶されている各登録文字列及び位置情報（コンテンツ名）が、該当のマーカ色で、各マス１００に表示される。そのため、「マス目」が表示形態のブック８４０では、各マス１００に対応付けて登録文字列等の情報が記憶されるようになっている。
【００３１】
また、表示形態「縦書き」のブック８４０が表示される場合には、メインディスプレイ１０に縦長の行が複数形成され、ブック８４０に記憶されている各登録文字列及び位置情報（コンテンツ名）が、該当のマーカ色で、各行に表示される。そのため、「縦書き」が表示形態のブック８４０では、各行に対応付けて登録文字列等の情報が記憶されるようになっている。
また、表示形態「横書き」のブック８４０が表示される場合には、メインディスプレイ１０に横長の行が複数形成され、ブック８４０に記憶されている各登録文字列及び位置情報（コンテンツ名）が、該当のマーカ色で、各行に表示される。そのため、「横書き」が表示形態のブック８４０では、各行に対応付けて登録文字列等の情報が記憶されるようになっている。
【００３２】
［１．３  動作］
続いて、電子辞書１の動作について、図面を参照しつつ説明する。
【００３３】
［１．３．１  スクラップ帳登録処理］
図３は、ＣＰＵ２０が情報表示処理プログラム８１を読み出して実行するスクラップ帳登録処理の流れを示すフローチャートである。
【００３４】
この図に示すように、スクラップ帳登録処理においてまずＣＰＵ２０は、ユーザ操作により指定されるコンテンツ８２０（以下、指定コンテンツ８２０Ｓとする）のテキストをメインディスプレイ１０に表示させる（ステップＳ１）。また、このときＣＰＵ２０は、メインディスプレイ１０の端部にマーカアイコンＭ１やスクラップ帳アイコンＭ２を表示させる（図５（ａ）参照）。ここで、マーカアイコンＭ１は、表示されているテキスト内の文字列をマーカ表示するために操作されるアイコンである。また、スクラップ帳アイコンＭ２は、スクラップ帳テーブル８４に文字列などを登録するために操作されるアイコンである。なお、指定コンテンツ８２０Ｓは、外部情報記憶媒体１２ａや辞書サーバＪ内のコンテンツであっても良い。
【００３５】
次に、ＣＰＵ２０は、マーカアイコンＭ１に対してタッチ操作が行われるか否かを判定し（ステップＳ２）、行われないと判定した場合（ステップＳ２；Ｎｏ）には後述のステップＳ４に移行する。
【００３６】
また、ステップＳ２においてマーカアイコンＭ１に対しタッチ操作が行われたと判定した場合（ステップＳ２；Ｙｅｓ）には、ＣＰＵ２０は、メインディスプレイ１０に表示されているテキスト内の文字列のうち、ユーザ操作により指定される文字列をマーカ表示文字列とし、ユーザ操作による指定色でマーカ表示させる（ステップＳ３）。
【００３７】
次に、ＣＰＵ２０は、スクラップ帳アイコンＭ２に対してタッチ操作が行われるか否かを判定し（ステップＳ４）、行われないと判定した場合（ステップＳ４；Ｎｏ）にはスクラップ帳登録処理を終了する。
【００３８】
また、ステップＳ４においてスクラップ帳アイコンＭ２に対してタッチ操作が行われたと判定した場合（ステップＳ４；Ｙｅｓ）には、ＣＰＵ２０は、スクラップ帳テーブル８４に未だ登録されていないマーカ表示文字列があるか否かを判定する（ステップＳ５）。
【００３９】
このステップＳ５においてスクラップ帳テーブル８４に未だ登録されていないマーカ表示文字列があると判定した場合（ステップＳ５；Ｙｅｓ）には、ＣＰＵ２０は、未登録の各マーカ表示文字列をスクラップ帳テーブル８４への登録対象の文字列として設定した後（ステップＳ６）、後述のステップＳ１３に移行する。
【００４０】
また、ステップＳ５においてスクラップ帳テーブル８４に未だ登録されていないマーカ表示文字列がないと判定した場合（ステップＳ５；Ｎｏ）には、ＣＰＵ２０は、メインディスプレイ１０に表示されているテキストが辞書データベース８２０Ａにおける説明情報のテキストであるか否かを判定する（ステップＳ８）。
【００４１】
このステップＳ８においてメインディスプレイ１０に表示されているテキストが辞書データベース８２０Ａにおける説明情報のテキストであると判定した場合（ステップＳ８；Ｙｅｓ）には、ＣＰＵ２０は、当該説明情報のテキストの見出し語を、スクラップ帳テーブル８４への登録対象の文字列として設定した後（ステップＳ９）、後述のステップＳ１３に移行する。
【００４２】
また、ステップＳ８においてメインディスプレイ１０に表示されているテキストが辞書データベース８２０Ａにおける説明情報のテキストではないと判定した場合（ステップＳ８；Ｎｏ）には、ＣＰＵ２０は、「スクラップ帳への登録対象の文字列が見つかりません。登録したい文字列を入力してください」とのメッセージをメインディスプレイ１０に表示させ（ステップＳ１１）、ユーザ操作により入力される文字列をスクラップ帳テーブル８４への登録対象の文字列として設定する（ステップＳ１２）。
【００４３】
次に、ＣＰＵ２０は、ユーザ操作に応じてスクラップ帳テーブル８４における何れかのブック８４０を登録先、つまり情報の読み取り及び／または書き込みの対象として指定する（ステップＳ１３）。なお、このときユーザは、登録先として既存のブック８４０を指定しても良いし、新規なブック８４０を指定しても良い。新規なブック８４０を指定した場合には、ユーザは、当該ブック８４０の表示形態として、「マス目」、「縦書き」及び「横書き」の何れかを更に指定する。
【００４４】
次に、ＣＰＵ２０は、登録先として指定されたブック８４０（以下、指定ブック８４０Ｓとする）の内容をメインディスプレイ１０に表示させる（ステップＳ１４）。
【００４５】
より詳細には、このステップＳ１４においてＣＰＵ２０は、指定ブック８４０Ｓの表示形態が「マス目」の場合には、メインディスプレイ１０に３×３のマトリックス状にマス１００を形成し、指定ブック８４０Ｓに記憶されている各文字列及び位置情報（コンテンツ名）を、該当のマーカ色で、各マス１００に表示させる。また、指定ブック８４０Ｓの表示形態が「縦書き」の場合には、ＣＰＵ２０は、メインディスプレイ１０に縦長の行を複数形成し、指定ブック８４０Ｓに記憶されている各文字列及び位置情報（コンテンツ名）を、該当のマーカ色で、各行に表示させる。また、指定ブック８４０Ｓの表示形態が「横書き」の場合には、ＣＰＵ２０は、メインディスプレイ１０に横長の行を複数形成し、指定ブック８４０Ｓに記憶されている各文字列及び位置情報（コンテンツ名）を、該当のマーカ色で、各行に表示させる。
【００４６】
次に、ＣＰＵ２０は、ユーザ操作により指定された位置（マス１００または行）に登録対象の文字列を登録文字列として入力し、ステップＳ３での指定色でマーカ表示させ、指定ブック８４０Ｓの内容を更新する（ステップＳ１５）。また、このときＣＰＵ２０は、上述のステップＳ６，Ｓ９により指定コンテンツ８２０Ｓのテキスト内の文字列や見出し語が登録対象の文字列として設定された場合には、そのコンテンツ名を登録文字列と合わせて指定位置に表示させ、指定ブック８４０Ｓの内容を更新する。
また、このステップＳ１５においてＣＰＵ２０は、コメントアイコンＭ３（図６（ｃ）参照）をメインディスプレイ１０の端部に表示させる。ここで、コメントアイコンＭ３は、任意のコメントを手書き入力するために操作されるアイコンである。
【００４７】
次に、ＣＰＵ２０は、コメントアイコンＭ３に対してタッチ操作が行われるか否かを判定し（ステップＳ１８）、行われないと判定した場合（ステップＳ１８；Ｎｏ）には他の処理へ移行する。
【００４８】
また、ステップＳ１８においてコメントアイコンＭ３に対してタッチ操作が行われたと判定した場合（ステップＳ１８；Ｙｅｓ）には、ＣＰＵ２０は、ユーザ操作により指定された位置（マス１００または行）に、任意のコメントを手書き入力して指定ブック８４０Ｓの内容を更新した後（ステップＳ１９）、スクラップ帳登録処理を終了する。
【００４９】
なお、本実施の形態においては、指定ブック８４０Ｓに登録文字列として見出し語が記憶された状態から、上述のステップＳ１４〜Ｓ１９の間にユーザが当該見出し語の登録文字列をタッチすると、その説明情報のテキストが辞書データベース８２０Ａから読み出されて表示され、後述のスクラップ帳マーカ処理におけるステップＴ１に移行するとともに、後述のステップＴ２において現時点での指定ブック８４０Ｓが引き続き指定ブック８４０Ｓとして指定される。
【００５０】
［１．３．２  スクラップ帳マーカ処理］
図４は、ＣＰＵ２０が情報表示処理プログラム８１を読み出して実行するスクラップ帳マーカ処理の流れを示すフローチャートである。なお、以下の説明においては、説明の簡略化のため、スクラップ帳テーブル８４の各ブック８４０の表示形態を「マス目」のみとして説明する。
【００５１】
この図に示すように、スクラップ帳マーカ処理においてまずＣＰＵ２０は、何れかのコンテンツ８２０のテキストをメインディスプレイ１０に表示させる（ステップＴ１）。なお、このコンテンツ８２０は、外部情報記憶媒体１２ａや辞書サーバＪ内のコンテンツであっても良い。
【００５２】
次に、ＣＰＵ２０は、スクラップ帳テーブル８４における何れかのブック８４０を情報の読み取り及び／または書き込みの対象として指定する旨のユーザ操作が行われるか否かを判定し（ステップＴ２）、行われたと判定した場合（ステップＴ２；Ｙｅｓ）には、指定されたブック８４０（以下、指定ブック８４０Ｓとする）から登録文字列を読み取って、表示されているテキスト内で登録文字列と同一の文字列を検出し、当該登録文字列に対応付けられたマーカ色でそれぞれ識別表示させる（ステップＴ３）。なお、このステップＴ３においてＣＰＵ２０は、指定ブック８４０Ｓに登録文字列として辞書データベース８２０Ａの見出し語が複数記憶されており、これらの見出し語の説明情報テキストの間で共通する文字列がある場合には、当該文字列を所定色でマーカ表示させる等して識別表示させても良い（後述の図７（ｂ）参照）。また、後述のステップＴ７，Ｔ２４により隠し表示がＯＮに設定されている登録文字列が存在する場合には、このステップＴ３においてＣＰＵ２０は、当該登録文字列と同一の文字列を潜像化して隠し表示させる。
【００５３】
次に、ＣＰＵ２０は、何れかのマーカ表示文字列（登録文字列と同一の文字列）に対してタッチ操作が行われるか否かを判定し（ステップＴ４）、行われないと判定した場合（ステップＴ４；Ｎｏ）には、スクラップ帳マーカ処理を終了する。
【００５４】
また、ステップＴ４において何れかのマーカ表示文字列に対してタッチ操作が行われたと判定した場合（ステップＴ４；Ｙｅｓ）には、ＣＰＵ２０は、タッチ操作により指定されたマーカ表示文字列（以下、指定マーカ表示文字列とする）に対応する登録文字列のマス１００を指定ブック８４０Ｓ内で検出した後、指定ブック８４０Ｓのマス１００のうち、当該マス（以下、検出マスとする）１００以外のマス１００の内容を指定ブック８４０Ｓから読み出し、指定マーカ表示文字列に関連付けて一覧表示させる（ステップＴ５）。より詳細には、このときＣＰＵ２０は、検出マス１００の上下左右のマス１００の内容を指定ブック８４０Ｓから読み出し、これらのマス１００の位置関係を維持したまま指定マーカ表示文字列の上下左右にポップアップさせて一覧表示させる。
【００５５】
次に、ＣＰＵ２０は、マーカ表示文字列の潜像化／顕像化を切り替える旨のユーザ操作、つまりマーカ表示文字列の隠し表示のＯＮ／ＯＦＦを切り替える旨のユーザ操作が行われるか否かを判定する（ステップＴ６）。なお、本実施の形態においては、テキスト内のマーカ表示文字列や、ポップアップされたマス１００内のマーカ表示文字列（登録文字列と同一の文字列）に対するタッチ操作により、マーカ表示文字列の潜像化／顕像化が切り替えられる。
【００５６】
このステップＴ６においてマーカ表示文字列の潜像化／顕像化を切り替える旨のユーザ操作が行われたと判定した場合（ステップＴ６；Ｙｅｓ）には、ＣＰＵ２０は、ユーザ操作に応じてマーカ表示文字列の潜像化／顕像化を切り替えてメインディスプレイ１０の表示内容と、指定ブック８４０Ｓの内容とを更新した後（ステップＴ７）、上述のステップＴ３に移行する。
【００５７】
また、ステップＴ６においてマーカ表示文字列の潜像化／顕像化を切り替える旨のユーザ操作が行われないと判定した場合（ステップＴ６；Ｎｏ）には、ＣＰＵ２０は、スクラップ帳マーカ処理を終了する旨のユーザ操作が行われるか否かを判定する（ステップＴ８）。
【００５８】
そして、このステップＴ８においてスクラップ帳マーカ処理を終了する旨のユーザ操作が行われないと判定した場合（ステップＴ８；Ｎｏ）には、ＣＰＵ２０は上述のステップＴ３に移行する一方、スクラップ帳マーカ処理を終了する旨のユーザ操作が行われたと判定した場合（ステップＴ８；Ｙｅｓ）には、スクラップ帳マーカ処理を終了する。
【００５９】
また、上述のステップＴ２においてスクラップ帳テーブル８４における何れかのブック８４０を指定する旨のユーザ操作が行われないと判定した場合（ステップＴ２；Ｎｏ）には、ＣＰＵ２０は、メインディスプレイ１０の端部にスクラップ帳アイコンＭ２を表示させるとともに、ユーザ操作に基づいて、表示されているテキスト中の何れかの文字列を指定文字列として指定した後、スクラップ帳アイコンＭ２の位置にドラッグ＆ドロップする（ステップＴ１１）。
【００６０】
次に、ＣＰＵ２０は、スクラップ帳テーブル８４における何れかのブック８４０に指定文字列が登録されているか否かを判定し（ステップＴ１２）、登録されていないと判定した場合（ステップＴ１２；Ｎｏ）には、スクラップ帳マーカ処理を終了する。
【００６１】
また、ステップＴ１２においてスクラップ帳テーブル８４における何れかのブック８４０に指定文字列が登録されていると判定した場合（ステップＴ１２；Ｙｅｓ）には、ＣＰＵ２０は、指定文字列の登録されているブック８４０を指定ブック８４０Ｓとして自動指定する（ステップＴ１３）。これにより、指定ブック８４０Ｓは情報の読み取り及び／または書き込みの対象となる。
【００６２】
次に、ＣＰＵ２０は、指定文字列に対応する登録文字列のマス１００を指定ブック８４０Ｓ内で検出した後、当該マス１００を含む周囲のマス１００（ここでは２×２の計４個のマス１００）の内容を読み出して、指定文字列の近傍に一覧表示させる（ステップＴ１４）。より詳細には、このときＣＰＵ２０は、メインディスプレイ１０の最前面に新たにスクラップ帳ウィンドウＷ（図８（ａ）参照）を表示させるとともに、読み出した４個のマス１００の内容を、これらのマス１００の位置関係を維持したままスクラップ帳ウィンドウＷに一覧表示させる。
【００６３】
次に、ＣＰＵ２０は、指定ブック８４０Ｓ内の登録文字列と同一の文字列を、表示されているテキスト内で検出し、当該登録文字列に対応付けられたマーカ色で識別表示させる（ステップＴ１５）。なお、上述のステップＴ７や後述のステップＴ２４により登録文字列の隠し表示がＯＮに設定されている場合には、このステップＴ１５においてＣＰＵ２０は、当該登録文字列と同一の文字列を潜像化して隠し表示させる。
【００６４】
次に、ＣＰＵ２０は、スクラップ帳ウィンドウＷのサイズを変更する旨のユーザ操作が行われるか否かを判定し（ステップＴ２１）、行われないと判定した場合（ステップＴ２１；Ｎｏ）には後述のステップＴ２３に移行する。
【００６５】
また、ステップＴ２１においてスクラップ帳ウィンドウＷのサイズを変更する旨のユーザ操作が行われたと判定した場合（ステップＴ２１；Ｙｅｓ）には、ＣＰＵ２０は、ユーザ操作に応じてスクラップ帳ウィンドウＷの大きさを変更して表示内容を更新する（ステップＴ２２）。より詳細には、このときＣＰＵ２０は、スクラップ帳ウィンドウＷが拡大された場合には、指定文字列に対応する登録文字列のマス１００を指定ブック８４０Ｓ内で検出し、当該マス１００を含む周囲の３×３の計９個のマス１００の内容を読み出して、読み出した９個のマス１００の内容を、これらのマス１００の位置関係を維持したままスクラップ帳ウィンドウＷに表示させる。一方、スクラップ帳ウィンドウＷが縮小された場合には、ＣＰＵ２０は、指定文字列に対応する登録文字列のマス１００を指定ブック８４０Ｓ内で検出し、当該マス１００の内容を読み出してスクラップ帳ウィンドウＷに表示させる。
【００６６】
次に、ＣＰＵ２０は、マーカ表示文字列の潜像化／顕像化を切り替える旨のユーザ操作、つまりマーカ表示文字列の隠し表示のＯＮ／ＯＦＦを切り替える旨のユーザ操作が行われるか否かを判定する（ステップＴ２３）。なお、本実施の形態においては、テキスト内のマーカ表示文字列や、スクラップ帳ウィンドウＷ内のマーカ表示文字列（登録文字列と同一の文字列）に対するタッチ操作により、マーカ表示文字列の潜像化／顕像化が切り替えられる。
【００６７】
このステップＴ２３においてマーカ表示文字列の潜像化／顕像化を切り替える旨のユーザ操作が行われないと判定した場合（ステップＴ２３；Ｎｏ）には、ＣＰＵ２０は、上述のステップＴ１５に移行する。
【００６８】
また、ステップＴ２３においてマーカ表示文字列の潜像化／顕像化を切り替える旨のユーザ操作が行われたと判定した場合（ステップＴ２３；Ｙｅｓ）には、ＣＰＵ２０は、ユーザ操作に応じてマーカ表示文字列の潜像化／顕像化を切り替えてメインディスプレイ１０の表示内容と、指定ブック８４０Ｓの内容とを更新する（ステップＴ２４）。
【００６９】
次に、ＣＰＵ２０は、表示されているテキストに対して指定ブック８４０Ｓを登録する（リンクさせる）旨のユーザ操作が行われるか否かを判定し（ステップＴ２５）、行われないと判定した場合（ステップＴ２５；Ｎｏ）には、上述のステップＴ１５に移行する。
【００７０】
そして、ステップＴ２５においてテキストに対して指定ブック８４０Ｓを登録する旨のユーザ操作が行われたと判定した場合（ステップＴ２５；Ｙｅｓ）には、ＣＰＵ２０は、表示されているテキストと指定ブック８４０Ｓとを対応付けた対応情報を記憶部８０に記憶させ（ステップＴ２６）、上述のステップＴ１５に移行する。これにより、このテキストが表示されている状態でスクラップ帳アイコンＭ２に対してタッチ操作を行うと、指定ブック８４０Ｓの内容がメインディスプレイ１０に表示されることとなる。
【００７１】
［１．４  動作例］
続いて、図面を参照しつつ、上述した電子辞書１の動作を具体的に説明する。
【００７２】
［１．４．１  動作例（１）］
まず、図５（ａ）に示すように、ユーザが「日本史事典」のコンテンツ８２０（辞書データベース８２０Ａ）を指定コンテンツ８２０Ｓとして指定すると、そのテキスト（ここでは見出し語「最澄」の説明情報テキスト）がメインディスプレイ１０に表示される（ステップＳ１）。
【００７３】
次に、スクラップ帳アイコンＭ２に対してユーザがタッチ操作を行うと（ステップＳ４；Ｙｅｓ）、スクラップ帳テーブル８４に未登録のマーカ表示文字列がないと判定され（ステップＳ５；Ｎｏ）、また、表示されているテキストが辞書データベース８２０Ａにおける説明情報のテキストであると判定され（ステップＳ８；Ｙｅｓ）、当該説明情報のテキストの見出し語「最澄」が登録対象の文字列として設定される（ステップＳ９）。
【００７４】
次に、図５（ｂ）〜図５（ｄ）に示すように、ユーザがスクラップ帳テーブル８４における新規で、かつ表示形態が「マス目」のブック８４０を登録先として指定すると（ステップＳ１３）、登録先として指定された指定ブック８４０Ｓの内容がメインディスプレイ１０に表示される（ステップＳ１４）。
【００７５】
次に、ユーザが左上のマス１００を指定すると、図６（ａ）に示すように、このマス１００に登録対象の文字列「最澄」が登録文字列として入力されて指定ブック８４０Ｓの内容が更新される（ステップＳ１５）。また、このとき指定コンテンツ８２０Ｓのコンテンツ名「日本史事典」が登録文字列と合わせて左上のマス１００に表示され、指定ブック８４０Ｓの内容が更新される。
【００７６】
次に、改めてユーザが何れかのコンテンツ８２０を指定コンテンツ８２０Ｓとして指定して、そのテキストをメインディスプレイ１０に表示させ（ステップＳ１）、スクラップ帳アイコンＭ２に対してタッチ操作を行い（ステップＳ４；Ｙｅｓ）、スクラップ帳テーブル８４における既存のブック８４０から登録先を選択する旨の操作を行うと、図６（ｂ）に示すように、既存のブック８４０の一覧が表示される。そして、この一覧からユーザが何れかの既存のブック８４０を登録先として指定すると（ステップＳ１３）、登録先として指定された指定ブック８４０Ｓの内容がメインディスプレイ１０に表示される（ステップＳ１４）。そして、ユーザが何れかのマス１００を指定すると、そのマス１００に登録対象の文字列が登録文字列として入力され、指定ブック８４０Ｓの内容が更新される（ステップＳ１５）。
【００７７】
以降、同様の操作を繰り返すと、図６（ｃ）に示すように、指定ブック８４０Ｓの各マス１００に登録文字列が入力されて表示されることとなる（ステップＳ１４，Ｓ１５）。
【００７８】
この状態から、ユーザが見出し語「最澄」の登録文字列をタッチすると、図７（ａ）に示すように、その説明情報のテキストが辞書データベース８２０Ａから読み出されて表示される（ステップＴ１）。一方、図６（ｃ）の状態から、ユーザが見出し語「延暦寺」の登録文字列をタッチすると、図７（ｂ）に示すように、その説明情報のテキストが辞書データベース８２０Ａから読み出されて表示される（ステップＴ１）。
【００７９】
このとき、指定ブック８４０Ｓから各登録文字列「最澄」，「延暦寺」，…が読み取られて、表示されているテキスト内で当該登録文字列と同一の文字列「最澄」，「延暦寺」，…が検出され、当該登録文字列に対応付けられたマーカ色でそれぞれ識別表示される（ステップＴ３）。また、このとき、指定ブック８４０Ｓに登録文字列として記憶された見出し語「最澄」，「延暦寺」の説明情報テキストの間での共通文字列「天台宗」，「比叡山」が所定色でマーカ表示されて識別表示される。
【００８０】
なお、本動作例においては、この状態から、共通文字列「天台宗」や「比叡山」に対してユーザがタッチ操作を行うと、図７（ｃ）に示すように、指定ブック８４０Ｓの内容が表示されるとともに、共通文字列を説明情報テキストに含む見出し語のマス１００が識別表示される。
【００８１】
また、図７（ｂ）に示した状態から、マーカ表示文字列「延暦寺」に対してユーザがタッチ操作を行うと（ステップＴ４；Ｙｅｓ）、この指定マーカ表示文字列「延暦寺」に対応する登録文字列「延暦寺」のマス１００が指定ブック８４０Ｓ内で検出された後、図７（ｄ）に示すように、検出マス１００の上下左右のマス１００の内容「最澄」，「道場」，「法華経」が指定ブック８４０Ｓ（図６（ｃ）参照）から読み出され、これらのマス１００の位置関係を維持したまま指定マーカ表示文字列の上下左右にポップアップして一覧表示される（ステップＴ５）。なお、本動作例においては、検出マス１００の左側のマス１００が空欄となっているため、ポップアップされた左側のマス１００は空欄で表示されている。
【００８２】
また、図６（ｃ）に示した状態から、ユーザがスクラップ帳登録処理を終了してスクラップ帳マーカ処理を実行させ、「中学教科書：日本史」のコンテンツ８２０（書籍コンテンツ８２０Ｂ）を指定コンテンツ８２０Ｓとして指定すると、図８（ａ）に示すように、そのテキスト（ここでは「最澄と空海」のテキスト）がメインディスプレイ１０に表示される（ステップＴ１）。
【００８３】
次に、ユーザがスクラップ帳テーブル８４における何れかのブック８４０を指定する旨の操作を行わずに（ステップＴ２；Ｎｏ）、表示されているテキスト中の文字列「最澄」を指定文字列として指定した後、スクラップ帳アイコンＭ２の位置にドラッグ＆ドロップすると（ステップＴ１１）、スクラップ帳テーブル８４における何れかのブック８４０に指定文字列「最澄」が登録されていると判定され（ステップＴ１２；Ｙｅｓ）、そのブック８４０が指定ブック８４０Ｓとして自動指定される（ステップＴ１３）。
【００８４】
次に、メインディスプレイ１０の最前面かつ指定文字列「最澄」の近傍に新たにスクラップ帳ウィンドウＷが表示されるとともに、指定文字列「最澄」に対応する登録文字列「最澄」のマス１００が指定ブック８４０Ｓ内で検出された後、当該マス１００を含む周囲のマス１００（ここでは２×２の計４個のマス１００）の内容「最澄」，「開祖」，…が読み出されて、これらのマス１００の位置関係を維持したままスクラップ帳ウィンドウＷに一覧表示される（ステップＴ１４）。
【００８５】
次に、図８（ｂ）に示すように、スクラップ帳ウィンドウＷのサイズを大きくする旨の操作をユーザが行うと（ステップＴ２１；Ｙｅｓ）、指定文字列「最澄」に対応する登録文字列「最澄」のマス１００が指定ブック８４０Ｓ内で検出され、当該マス１００を含む周囲の３×３の計９個のマス１００の内容が読み出されて、読み出した９個のマス１００の内容が、これらのマス１００の位置関係を維持したままスクラップ帳ウィンドウＷに表示される（ステップＴ２２）。
【００８６】
次に、スクラップ帳ウィンドウＷ内のマーカ表示文字列「最澄」，「延暦寺」に対してタッチ操作を行うことにより、これらのマーカ表示文字列を潜像化させる旨の操作をユーザが行うと（ステップＴ２３；Ｙｅｓ）、図８（ｃ）に示すように、マーカ表示文字列「最澄」，「延暦寺」が潜像化されてメインディスプレイ１０の表示内容と、指定ブック８４０Ｓの内容とが更新される（ステップＴ２４）。
【００８７】
次に、スクラップ帳アイコンＭ２に対してタッチ操作を行うことにより、表示されているテキスト（「最澄と空海」のテキスト）に対して指定ブック８４０Ｓを登録する旨の操作をユーザが行うと（ステップＴ２５；Ｙｅｓ）、表示されているテキストと指定ブック８４０Ｓとを対応付けた対応情報が記憶部８０に記憶される（ステップＴ２６）。
【００８８】
次に、ユーザがスクラップ帳マーカ処理を一旦終了した後、改めて実行させ、「中学教科書：日本史」のコンテンツ８２０（書籍コンテンツ８２０Ｂ）を指定コンテンツ８２０Ｓとして指定すると、図８（ｄ）に示すように、そのテキスト（ここでは「最澄と空海」のテキスト）がメインディスプレイ１０に表示される（ステップＴ１）。そして、ユーザがスクラップ帳テーブル８４における何れかのブック８４０を指定する旨の操作を行わずに（ステップＴ２；Ｎｏ）、スクラップ帳アイコンＭ２に対してタッチ操作を行うと、メインディスプレイ１０の最前面に新たにスクラップ帳ウィンドウＷが表示され、表示されているテキストに対応付けられた指定ブック８４０Ｓの内容がスクラップ帳ウィンドウＷに表示される。なお、図８（ｄ）では、マーカ表示文字列「最澄」，「延暦寺」とともに、マーカ表示文字列「空海」も潜像化して表示されている。
【００８９】
［１．４．２  動作例（２）］
まず、図９（ａ）に示すように、ユーザが「日本史事典」のコンテンツ８２０（辞書データベース８２０Ａ）を指定コンテンツ８２０Ｓとして指定すると、そのテキスト（ここでは見出し語「最澄」の説明情報テキスト）がメインディスプレイ１０に表示される（ステップＳ１）。
【００９０】
次に、マーカアイコンＭ１に対してユーザがタッチ操作を行うと（ステップＳ２；Ｙｅｓ）、メインディスプレイ１０に表示されているテキスト内の文字列のうち、ユーザ操作により指定される文字列「天台宗」，「開祖」がマーカ表示文字列とされ、ユーザ操作による指定色でマーカ表示される（ステップＳ３）。
【００９１】
次に、スクラップ帳アイコンＭ２に対してユーザがタッチ操作を行うと（ステップＳ４；Ｙｅｓ）、スクラップ帳テーブル８４に未登録のマーカ表示文字列「天台宗」，「開祖」があると判定され（ステップＳ５；Ｙｅｓ）、未登録の各マーカ表示文字列「天台宗」，「開祖」が登録対象の文字列として設定される（ステップＳ６）。
【００９２】
そして、ユーザがスクラップ帳テーブル８４における既存のブック８４０から登録先を選択する旨の操作を行うと、既存のブック８４０の一覧が表示され、この一覧からユーザが何れかの既存のブック８４０を登録先として指定すると（ステップＳ１３）、図９（ｂ）に示すように、登録先として指定された指定ブック８４０Ｓの内容がメインディスプレイ１０に表示される（ステップＳ１４）。
【００９３】
そして、ユーザが何れかのマス１００を指定すると、このマス１００に登録対象の文字列「天台宗」，「開祖」が登録文字列として入力されて指定ブック８４０Ｓの内容が更新される（ステップＳ１５）。
【００９４】
［１．４．３  動作例（３）］
まず、図９（ｃ）に示すように、指定ブック８４０Ｓの内容がメインディスプレイ１０に表示された状態から（ステップＳ１４）ユーザが見出し語「延暦寺」の登録文字列をタッチすると、図９（ｄ）に示すように、その説明情報のテキストが辞書データベース８２０Ａから読み出されて表示される（ステップＴ１）。
【００９５】
次に、指定ブック８４０Ｓから各登録文字列「最澄」，…が読み取られて、表示されているテキスト内で当該登録文字列と同一の文字列「最澄」，…が検出され、当該登録文字列に対応付けられたマーカ色でそれぞれ識別表示される（ステップＴ３）。
【００９６】
以上の電子辞書１によれば、図３のステップＳ３，Ｓ６，Ｓ１５や、図４のステップＴ３、図７等に示したように、テキスト内の文字列をユーザが指定すると、指定された各文字列が登録文字列として記憶され、表示されたテキスト内で登録文字列と同一の文字列がそれぞれ識別表示されるので、テキスト内に含まれる所望の用語をそれぞれ登録文字列として記憶させることにより、これらの用語（登録文字列と同一の文字列）がそれぞれ識別表示されて同時に表示されることとなる。従って、同じテキスト内に含まれる所望の用語を関連付けて同時に学習することができる。
【００９７】
また、図４のステップＴ７，Ｔ２４や、図８等に示したように、潜像化して表示するよう設定されている登録文字列と同一の文字列がテキスト内で潜像化して識別表示されるので、所望の用語の文字列を隠し表示させて、自分の学習到達度を計ることができる。
【００９８】
また、図３のステップＳ１９や、図４のステップＴ１１〜Ｔ１４、図８等に示したように、スクラップ帳テーブル８４の各ブック８４０にはユーザ入力の任意のコメントが記憶され、表示されたテキスト内で登録文字列と同一の文字列が指定されると、スクラップ帳テーブル８４の記憶内容のうち、当該指定された文字列以外の記憶内容が、当該指定された文字列に関連付けて表示されるので、テキスト内の所望の用語とユーザ入力のコメントとを関連付けて同時に学習することができる。
【００９９】
なお、本発明を適用可能な実施形態は、上述した実施形態に限定されることなく、本発明の趣旨を逸脱しない範囲で適宜変更可能である。
【０１００】
例えば、本発明に係る情報表示装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能であり、図１（ｂ）に示すようなタブレットパソコン１Ａに特に好適に適用される。また、本発明に係る情報表示処理プログラム８１は、電子辞書１に対して着脱可能な外部情報記憶媒体１２ａに記憶されることとしてもよい。また、電子辞書１内の記憶部８０にコンテンツ８２０が記憶され、当該コンテンツ８２０が記憶部８０から読みだされて取得されることとして説明したが、ネットワークを介して通信接続されたサーバ内にコンテンツ８２０が記憶され、当該サーバからコンテンツ８２０が送信されて取得されることとしても良い。
【０１０１】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示手段と、
テキストを含むコンテンツが少なくとも１つ記憶されているコンテンツ記憶手段と、
前記コンテンツ記憶手段により記憶された何れかの前記コンテンツのテキストを、ユーザ操作に基づいて前記表示手段に表示させるテキスト表示制御手段と、
前記テキスト表示制御手段により表示されたテキスト内の文字列をユーザ操作に基づいて指定する文字列指定手段と、
前記文字列指定手段により指定された各文字列を登録文字列として記憶する文字列記憶手段と、
前記文字列記憶手段から前記登録文字列を読み取り、前記テキスト表示制御手段により表示されたテキスト内で当該登録文字列と同一の文字列を検出してそれぞれ識別表示させる登録文字列識別表示制御手段と、
を備えることを特徴とする情報表示装置。
＜請求項２＞
請求項１記載の情報表示装置において、
各登録文字列について、当該登録文字列をユーザから視認されないよう潜像化して表示させるか否かを、ユーザ操作に基づいて設定する隠し表示設定手段を備え、
前記登録文字列識別表示制御手段は、
各登録文字列のうち、前記隠し表示設定手段により、潜像化して表示させるよう設定されている登録文字列と同一の文字列を、テキスト内で潜像化して識別表示させることを特徴とする情報表示装置。
＜請求項３＞
請求項１または２記載の情報表示装置において、
前記文字列記憶手段は、
ユーザ操作により入力される任意のコメントを記憶可能であり、
当該情報表示装置は、
前記テキスト表示制御手段により表示されたテキスト内で前記文字列指定手段により前記登録文字列と同一の文字列が指定された場合に、前記文字列記憶手段の記憶内容のうち、当該指定された文字列以外の記憶内容を読み取り、当該指定された文字列に関連付けて表示させる登録文字列表示制御手段を備えることを特徴とする情報表示装置。
＜請求項４＞
請求項１〜３の何れか一項に記載の情報表示装置において、
複数の前記文字列記憶手段と、
前記複数の文字列記憶手段のうち、ユーザ操作に基づき選択される何れか１つの文字列記憶手段を情報の読み取り及び／または書き込みの対象として設定する文字列記憶手段選択手段とを備え、
前記文字列記憶手段選択手段は、
前記テキスト表示制御手段により表示されたテキスト内で前記文字列指定手段により前記登録文字列と同一の文字列が指定された場合に、前記複数の文字列記憶手段のうち、当該指定された文字列が読み取られた前記文字列記憶手段を情報の読み取り及び／または書き込みの対象として設定することを特徴とする情報表示装置。
＜請求項５＞
表示手段と、
テキストを含むコンテンツが少なくとも１つ記憶されているコンテンツ記憶手段と、
を有するコンピュータにおける情報表示方法であって、
前記コンテンツ記憶手段により記憶された何れかの前記コンテンツのテキストを、ユーザ操作に基づいて前記表示手段に表示させるテキスト表示制御ステップと、
前記テキスト表示制御ステップにより表示されたテキスト内の文字列をユーザ操作に基づいて指定する文字列指定ステップと、
前記文字列指定ステップにより指定された各文字列を登録文字列として記憶する文字列記憶ステップと、
前記文字列記憶ステップによる記憶内容から前記登録文字列を読み取り、前記テキスト表示制御ステップにより表示されたテキスト内で当該登録文字列と同一の文字列を検出してそれぞれ識別表示させる登録文字列識別表示制御ステップと、
を含むことを特徴とする情報表示方法。
＜請求項６＞
表示手段と、
テキストを含むコンテンツを取得するコンテンツ取得手段と、
を有するコンピュータに、
前記コンテンツ取得手段により取得された何れかのコンテンツのテキストを、ユーザ操作に基づいて前記表示手段に表示させるテキスト表示制御機能と、
前記テキスト表示制御機能により表示されたテキスト内の文字列をユーザ操作に基づいて指定する文字列指定機能と、
前記文字列指定機能により指定された各文字列を登録文字列として記憶する文字列記憶機能と、
前記文字列記憶機能による記憶内容から前記登録文字列を読み取り、前記テキスト表示制御機能により表示されたテキスト内で当該登録文字列と同一の文字列を検出してそれぞれ識別表示させる登録文字列識別表示制御機能と、
を実現させることを特徴とする情報表示プログラム。
【符号の説明】
【０１０２】
１          電子辞書
２０        ＣＰＵ
８１        情報表示処理プログラム
８４        スクラップ帳テーブル
【図１】
2014178914.tif 000003
【図２】
2014178914.tif 000004
【図３】
2014178914.tif 000005
【図４】
2014178914.tif 000006
【図５】
2014178914.tif 000007
【図６】
2014178914.tif 000008
【図７】
2014178914.tif 000009
【図８】
2014178914.tif 000010
【図９】
2014178914.tif 000011